(57)【要約】【課題】ある種の紙層を基材とした積層材料製の円筒状巻芯体の機能を生かしつつ廃棄回収されたというそのままの状態では使用できない問題を克服して適切な形体とすると共に廃棄回収材のリサイクルを有効、可能にした健康器具として提供する。【解決手段】紙が多重に巻回され、紙間に接着剤が塗布され、硬化された紙の巻芯体として使用され、半径方向で外径９５±１０ｍｍ相当、内径７５±５ｍｍ相当、肉厚１０±５ｍｍ相当、長手方向で３５０±５０ｍｍ相当の長さを有し、紙が接着剤で固化された状態で表面が紙感触であり剛性を有して、両端面が長手方向に対して直角方向に平面状の円筒端面である円径状断面の中空とされた、使用後に廃棄回収された紙層を基材とした積層材料製の円筒状巻芯体が、その全体を着脱自在の気泡緩衝材および布地製の袋体で封止し密閉して覆われ、該袋体を付随させて転がる剛体のコロガリ体とされ、多目的健康維持に用いられる。【選択図】図２
0003156200.tif 000002
【実用新案登録請求の範囲】
【請求項１】
紙が多重に巻回され、紙間に接着剤が塗布され、硬化された紙の巻芯体である紙管として使用され、半径方向で外径９５±１０ｍｍ相当、内径７５±５ｍｍ相当、肉厚１０±５ｍｍ相当、長手方向で３５０±５０ｍｍ相当の長さを有し、紙が接着剤で固化された状態で表面が紙感触であり剛性を有して、両端面が長手方向に対して直角方向に平面状の円筒端面である円径状断面の中空とされた、使用後に廃品回収された紙層を基材とした積層材料製の円筒状巻芯体が、その全体表面を気泡緩衝材で覆われ、気泡緩衝材の設けられた円筒状巻芯体が着脱自在の布製の袋体で封止し密閉して覆われ、該袋体を付随させて転がる、内部が紙層を基材とした積層材料による剛性で表面部が気泡クッションによる柔軟性のコロガリ体とされ、該コロガリ体が横配置されて、気泡緩衝材および布地を介して背中もしくは腰を載置して転がされ得、横置されて、気泡緩衝材および布地の抵抗力によって転がることなく、両足で踏みつけられ得、いずれの端面で立脚された該コロガリ体の、他端面が布地を介して長手方向に手のひらで押圧され得、首が振られることを許容するように、首の下に気泡緩衝材および布地を介して入れられ得、および体重がかけられることを許容するようにお尻とふくらはぎの間に気泡緩衝材および布地を介して入れられ得るように形成されて、少なくとも５つの多使用形体の多目的健康維持に用いられることを特徴とするコロガリ体健康器具。
【考案の詳細な説明】
【技術分野】
【０００１】
本考案は、コロガリ体で形成されたコロガリ体健康器具に関する。
【背景技術】
【０００２】
近年の健康ブームやフィットネスブームにより健康器具の市場が拡大し、広範囲な分野において商品が開発され、通信販売やホームセンターなどで大量販売されている。
【０００３】
健康増進を目的とする健康器具は古くからあり、特定の身体機能へ働きかけるといった作用を持ったものとして構成されている。
【０００４】
特許文献１には、２分割され折りたたみ可能な基台と、基台上に設けられた足裏と接する一対の右足用摺擦体および左足用摺擦体とを備え、右足用摺擦体と左足用摺擦体は、つま先方向又は踵方向に向って次第に両者の間隔が狭くなるハの字状に配置され、かつ、足裏が各摺擦体上をつま先方向および踵方向へ向って反復的に滑り易くなるようにつま先方向および踵方向への滑動性が高められてなることを特徴とする健康器具が記載されている。
【０００５】
特許文献２には、複数のボルト円筒部カスを、手で握ることができると共に、足踏み器具の大きさに模様状に並べて溶接して構成されたボルト円筒部カスによる健康器具が記載されている。
【０００６】
特許文献３には、床に転がされ、その上に背中または腰を載せた状態で仰向けに寝ころがって使用するための健康器具であって、剛性を有するとともに、中実または中空の円柱状であり、その外径は、軸線方向に略全長にわたって略同じであり、かつ、外表面は、凸凹がなく滑らかであることを特徴とする健康器具が記載されている。
【０００７】
特許文献４には、帯状材が巻き付けられる円筒状をなす合成樹脂製巻芯体が記載されている。
【０００８】
特許文献５には、複数の断面円形の直棒状体と、この直棒状棒が繊維もしくは合成樹脂シートで構成された円筒状の袋で構成された健康器具が記載されている。
【先行技術文献】
【特許文献】
【０００９】
【特許文献１】特開２００６−３４０７９０号公報
【特許文献２】特開２０００−５１３９３号公報
【特許文献３】特開２００４−３０５２３２号公報
【特許文献４】特開２００４−１７５４８９号公報
【特許文献５】実用新案登録第３０８６１４７号公報
【考案の概要】
【考案が解決しようとする課題】
【００１０】
帯状の紙材が巻き付けられる円筒状をなす紙層を基材とした積層材料製巻芯体である紙管が紙材使用後に廃棄され回収（廃品回収）されている。この紙層を基材とした積層材料製巻芯体は、現在薬品を用いて溶融され、原料として再使用されている。
【００１１】
この巻芯体は製造メーカによって各種の大きさのもの、例えば４〜５００Φのものが製造されているが、これらの巻芯体の中には、製造メーカによって多少大きさは異なっているが、近似していて、紙が多重に巻回され、紙間に接着剤が塗布され、硬化された紙の巻芯体として使用され、半径方向で外径９５±１０ｍｍ相当、内径７５±５ｍｍ相当、肉厚１０±５ｍｍ相当、長手方向で３５０±５０ｍｍ相当の長さを有し、紙管表面の特殊加工により、高い表面平滑性、真円性、真直性を持ち、紙が接着剤で固化された状態で表面が紙感触であり剛性を有して、両端面が長手方向に対して直角方向の平面状の円筒端面である円径状断面の中空とされた、使用後に廃棄回収された紙層を基材とした積層材料製の円筒状巻芯体がある。また、布材および緩衝材が多量に廃棄され、回収されている。これらの材料を燃やして焼却するのではＣＯ２が発生する原因となる。また、薬品処理はリサイクル上好ましいものとは言えない。
【００１２】
本考案者等は、この廃材である円筒状巻芯体は紙製で、人間の肌に対してやさしく、健康器具として最適な構造、構成であることを見い出し、廃材である他の材料と組み合せて健康器具として活用できる形体を研究し、本願をするに至った。
【００１３】
特許文献３には、外径の直径が１００〜２００ｍｍで、長さが３００〜５００ｍｍで、円筒パイプ状をしており、プラスチック、厚板、ガラス、陶器、木材などの剛性を有する材料で形成された健康器具が記載されている。この材料は廃棄回収されたものではなく、商品原価は高いが、製造そのまま状態で使用し得る。しかしながら、剛性の高い材料そのものが人間の肌に接することとなる。上述した廃棄回収された円筒状巻芯体ではそのまま状態では、その表面には巻かれていた帯状体の紙材の痕跡があって使用できないばかりでなく、全体が紙層を基材とした積層材料製とはいえ、剛性構造とされているために多使用形体の多目的健康維持に用いるには、不適であることが判った。
【００１４】
本考案は、かかる点に鑑みてある種の紙層を基材とした積層材料製の円筒状巻芯体が上述した構造、構成を有して多目的健康器具として用いるとその機能を発揮し得ることに着目して、この機能を生かしつつ、廃棄回収されたというそのそのまま状態では使用できない問題を克服して適切な形体とすると共に、廃棄回収材のリサイクルを有効、可能にした健康器具として提供することを目的とする。
【課題を解決するための手段】
【００１５】
本考案は、この課題を解決するために、
紙が多重に巻回され、紙間に接着剤が塗布され、硬化された紙の巻芯体として使用され、半径方向で外径９５±１０ｍｍ相当、内径７５±５ｍｍ相当、肉厚１０±５ｍｍ相当、長手方向で３５０±５０ｍｍ相当の長さを有し、紙が接着剤で固化された状態で表面が紙感触であり剛性を有して、両端面が長手方向に対して直角方向に平面状の円筒端面である円径状断面の中空とされた、使用後に廃棄回収された紙層を基材とした積層材料製の円筒状巻芯体が、健康器具として優れた特性を有することを発見したことに基づいてなされた。このような発見は健康器具を取り扱う業界によっては発見され得ない。本件考案者が廃品回収を業としている者であるが故の発見である。円筒巻芯体が、その全体表面を気泡緩衝材で覆われ、気泡緩衝材の設けられた円筒状巻芯体が着脱自在の布製の袋体で封止し密閉して覆われ、該袋体を付随させて転がる剛体のコロガリ体とされ、該コロガリ体が横配置されて、気泡緩衝材および布地を介して背中もしくは腰を載置して転がされ得、横置されて、気泡緩衝材および布地によって抵抗力が付与されて転がることなく、両足で踏みつけられ得、いずれの端面で立脚された該コロガリ体の、他端面が布地を介して長手方向に手のひらで押圧され得、首が左右に振られることを許容するように、首の下に気泡緩衝材および布地を介して入れられ得、および体重がかけられることを許容するようにお尻とふくらはぎの間に気泡緩衝材および布地を介して入れられ得るように形成されて、少なくとも５つの多使用形体の多目的健康維持に用いられることを特徴とするコロガリ体健康器具が提供される。
【考案の効果】
【００１６】
本考案は、上述したように使用後に廃棄回収された紙層を基材とした積層材料製の円筒状巻芯体である紙管を用い、この円筒状巻芯体全体を気泡緩衝材および着脱自在の布製の袋体で封止し密閉して覆っており、そしてこの袋体を付随する形で転がるコロガリ体を形成して、上述する多使用形体を許容するように形成しているので、特定された紙層を基材とした積層材料製の円筒状巻芯体が多目的健康コロガリ健康器具として再使用可能とされ、横配置されて、気泡緩衝材および布地を介して背中もしくは腰を載置して転がされ得、横置されて、気泡緩衝材および布地によって転がることなく、両足で踏みつけられ得、いずれの端面で立脚された該コロガリ体の、他端面が布地を介して長手方向に手のひらで押圧され得、首が左右に振られることを許容するように、首の下に気泡緩衝材および布地を介して入れられ得、および体重がかけられることを許容するようにお尻とふくらはぎの間に気泡緩衝材および布地を介して入れられ得るように形成されて、少なくとも５つの多使用形体の多目的健康維持に用いられるコロガリ体健康器具が提供される。
【図面の簡単な説明】
【００１７】
【図１】本考案の実施例を構成する部品を示す外観図。
【図２】本考案の実施例の組み合せ方法および完成状態を示す外観図。
【図３】本考案の実施例による１つの使用形体を示す図。
【図４】本考案の実施例による１つの使用形体を示す図。
【図５】本考案の実施例による１つの使用形体を示す図。
【図６】本考案の実施例による１つの使用形体を示す図。
【図７】本考案の実施例による１つの使用形体を示す図。
【図８】本考案の実施例による１つの使用形体を示す図。
【図９】本考案の実施例による１つの使用形体を示す図。
【考案を実施するための形態】
【００１８】
以下、本考案の実施例を図面に基づいて説明する。
【実施例】
【００１９】
図１は、本考案の実施例であるコロガリ体健康器具を構成する各部品を示し、図１（ａ）は円筒状巻芯体を、図１（ｂ）は、円筒状巻芯体１の全体を覆うプチプチ（登録商標）である気泡緩衝材の一部を拡大して示し、そして図１（ｃ）は布製の袋体を示す。図２はコロガリ体健康器具の外観を示し、図２（ａ）は２つの部分を組み合せている状態を示し、図２（ｂ）は組み合せ完成品の外観を示す。
【００２０】
図１（ａ）は、紙が多重に巻回され、紙間に接着剤が塗布され、硬化された紙の巻芯体として使用された紙管であり、半径方向で外径９５±１０ｍｍ相当、内径７５±５ｍｍ相当、肉厚１０±５ｍｍ相当、長手方向で３５０±５０ｍｍ相当の長さを有し、紙が接着剤で固化された状態で表面が紙感触機能を有して、かつ剛性を有して、両端面が長手方向に対して直角方向に平面状の円筒端面である円径状断面の中空とされた、使用後に廃棄され回収された紙層を基材とした積層材料製の円筒状巻芯体１を示す。重さは約７５０ｇである。
【００２１】
このような紙層を基材とした積層材料製の円筒状巻芯体１は多くの製造メーカで製造されており、各製造メーカで製造された上述の範囲にある円筒状巻芯体が本実施例で用いられ、これらの範囲にあって測定方法によってはこれらの範囲に入るものとされるものが対象とされる。これらの範囲に入る廃棄回収の円筒状巻芯体１を用いることが本実施例にとって重要である。
【００２２】
図１（ｂ）は、上述の円筒状巻芯体１の全体を覆う気泡緩衝材を一部拡大して示す。プチプチも多量に廃棄されており、これらが多量に回収される。プチプチ２０は、多数の凸部２１が格子状に規則正しく形成された合成樹脂シート２２にもう一方の平板状の合成樹脂シート２３を展着した構造を有し、凸部２１の中が気泡２４に形成された気泡緩衝材として知られ、色々のタイプのものが知られている。
【００２３】
本実施例にあたっては１個／ｃｍ2の割合で気泡が形成された気泡緩衝材が好んで用いられる。気泡２４が圧縮されると気泡内の空気が圧縮され、同時にその力で気泡の膜が引き伸ばされて押圧力を吸収することができる。また、熱伝導率の最も小さい空気と、熱の不良導体である合成樹脂シート（ポリエチレン）の膜、この両方の性質があいまって高い断熱効果を示す。
【００２４】
このような気泡緩衝材であるプチプチは上述の円筒状巻芯体１の全体を覆うように配設され、接着剤によって貼着される。外表面に接着材を用いて、内表面に円形状に形成して接着剤を用いることなく締結するようにしてもよい。
【００２５】
図１（ｃ）は、プチプチを表面に貼着した円筒状巻芯体１の全体を覆う薄い布製の袋体２を示す。ここに使用する布についても廃棄され回収されたものが使用される。袋体２は円筒状巻芯体１の全体を覆うに際して余裕を持って覆うようにするために袋体２によって形成し得る袋口形状３は気泡緩衝材を備えた円筒状巻芯体１の外径、すなわち円径配置の気泡緩衝材の外形よりも若干大きめとされる。また、長手方向の長さにおいても両側を閉じた状態で円筒状巻芯体１の長さよりも若干大きめとされる。
【００２６】
この例では薄い布製の袋体２としているが、タオル材からなる比較的厚い布製の袋体２としてもよい。以下、薄い布製の袋体２を例にとって説明する。余り厚くすると剛性である円筒巻芯体としての特性が減少することになる。
【００２７】
袋口形状３は袋体２の両端に形成され、この袋口形状３を塞ぐようにジッパーのようなファスナー（登録商標）４が取り付けてある。ファスナーはよく知られているように、両側の布地（テープ）に設けられるエレメント、スライダー、上止、下止、箱からなり、スライダーは柱、引手、胴体を有する。ファスナーの構成はよく知られており、これ以上説明を要しない。
【００２８】
上止で止められるスライダー４Ａの近くにボタン５が布袋２にその外方に向けて取り付けられ、反対側の位置にボタン止め６が形成してある。これらの構成は袋体２の両側に形成される。
【００２９】
図１（ｃ）の右端ではボタン５がボタン止め６に掛けられているために、ファスナー４は布地に隠れて外部から見えない。このように、円筒状巻芯体１の全体を薄い布製でルーズに覆うことができる。袋口形状を大きくして、円筒状巻芯体にかぶせた時に、胴体部において緊締する形体にしてもよい。すなわち、薄い布製の袋体２には、円筒状巻芯体１を封止し密閉して覆うことになる。
【００３０】
図２（ａ）に示すように、円筒状巻芯体１の全体表面に気泡緩衝材があるプチプチが貼着され、円筒状巻芯体１側が準備される。これに伴なって袋体２側が準備される。一方側のファスナーを閉じ、ボタン５をボタン止め６に止めて一方側の袋口を閉じる。この場合に他方側の袋口３は開放され、この袋口３から円筒状巻芯体１が挿入される。挿入が完了すると、ファスナーを閉じ、ボタン５をボタン止め６に止める。なお、一方側の袋口にあってはボタン止め６を設けることなく、ボタン５を直接的に布地にぬいつけても構わない。
【００３１】
図２（ｂ）は両袋口３が閉じられた状態を示し、この状態では気泡緩衝材を貼着した円筒状巻芯体１は外部から見ることはできないし、またファスナーも側方の布地７によって隠されて、外部から見ることはできない。
【００３２】
袋体２の袋口３は円筒状巻芯体１の外側に円筒状に配設された気泡緩衝材の外径よりも若干大きめとされ、袋体２の長さも円筒状巻芯体１の長さよりも若干長くしてあるので、気泡緩衝材を貼着した円筒状巻芯体１の全体は着脱自在の薄い布製の袋体２でルーズに覆われる。きつく締結するようにしても構わない。この形体で気泡緩衝材を貼着した円筒状巻芯体１が袋体２に覆われ、袋体２を付随させて転がるコロガリ体１０が形成される。この状態で、袋体２は気泡緩衝材を貼着した円筒状巻芯体１から着脱自在であるが、コロガリ体１０を転がした時には、付随して一体に転がることができる。気泡緩衝材を貼着した円筒状巻芯体１が袋体２によってルーズにあるいはきつく覆われて着脱自在であり、固い紙による剛性であるコロガリ体１０を転がした時に、袋体２を付随して一体に転がるように形成することが剛性による固さを気泡緩衝材および布地によってやわらげて、多使用形体を形成するに当って重要である。
この形体によって、
横配置されたコロガリ体１０が気泡緩衝材および布地を介して緩衝され、背中もしくは腰を載置して転がり得る。
横配置されたコロガリ体１０が気泡緩衝材および布地の抵抗力によって転がることなく、両足（あるいは片足）で踏みつけられ得る。
いずれかの端面で立脚されたコロガリ体１０の、他端面が布地を介して長手方向に手のひらで押圧され得る。
コロガリ体１０が首の下に入れられて首が左右に振られることを許容するように、首の下に気泡緩衝材および布地を介して入れられ得る。
上半身体重が掛けられることを許容するように、お尻とふくらはぎの間に気泡緩衝材および布地を介して入れられ得る。
横配置されたコロガリ体１０が、片足によって気泡緩衝材および布地を介して押圧された状態で転がり得る。
横配置されたコロガリ体１０が、ふくらはぎを気泡緩衝材および布地を介して載せ、転がり得る。
以下、これらの形体形成について説明する。
【００３３】
図３は、横配置されたコロガリ体１０が気泡緩衝材および布地を介して緩衝され、背中もしくは腰を載置して転がり得る状態を示す。この状態では転がりに伴って体重が少しづつ移動される。この形体によれば背中痛、腰痛の回復に効果がある。腹這いの状態で使用することができる。
【００３４】
図４は、横配置されたコロガリ体１０が気泡緩衝材および布地の抵抗力によって転がることなく、踏みつけられ得る状態を示す。この状態では全体重が足裏にかかる。この形体によれば足裏関連の筋肉痛の回復に効果がある。片足で踏み転がすようにしてもよい。この場合にあっても気泡緩衝材および布地を介しての転がしであるので、円筒巻芯体１の剛体特質と気泡緩衝材および布地によるやわらかさ特質の組み合せ効果が得られる。
【００３５】
図５は、いずれかの端面で立脚させたコロガリ体１０の、他端が布地を介して長手方向に手のひらで押圧され得る状態を示す。この状態では、両手で端面を押され、体重をかける。手のひらマッサージに効果がある。
【００３６】
図６は、コロガリ体１０が首の下に入れられて首が左右にあるいは前後に振られることを許容するように首の下に気泡緩衝材および布地を介して入れられ得る。この状態では首が左右に振られる。首のコリ解消に効果がある。この形体で頭部の下に入れられて頭部が前後に振られることを許容するようにしてもよい。
【００３７】
図７は、上半身体重がかけられることを許容するように、お尻とふくらはぎの間に気泡緩衝材および布地を介して入れられ得る。この状態では体重を調整しながらコロガリ体１０を気泡緩衝材および布地を介して挟み込む。ふくらはぎの疲労回復に効果がある。
【００３８】
図８は、横配置されたコロガリ体１０が片足によって気泡緩衝材および布地を介して押圧されながら転がり得る状態を示す。この状態では転がりに伴って足裏に刺激する。足裏マッサージとしての効果がある。
【００３９】
図９は、横配置されたコロガリ体１０がふくらはぎを気泡緩衝材および布地を介して載せ、転がり得る状態を示す。この状態では転がりに伴ってふくらはぎを刺激する。ふくらはぎマッサージとしての効果がある。
【００４０】
以上のように、コロガリ体１０による７つの多使用形体が可能になる。本実施例は少なくとも５つの多使用形体の多目的健康維持に適用され得る。
このような少なくとも５つの多使用形体の多目的健康維持適用に当って、紙による紙感触ながら剛体性能を示す円筒状巻芯体１を気泡緩衝材および布地の袋体２で封止密閉することによって剛性性能を損わない状態で、直接的に人間の肌に触れさせても違和感を生じさせずにやわらかさを加味することができ、しかも袋体２は気泡緩衝材を貼着した円筒状巻芯体１に付随して回転動作するので、上述の剛性性能を損わない状態で、直接的に人間の肌に触れさせても違和感を生じさせない効果が倍加される。また、外方からの見栄えが当然のことながらよくなり、商品価値が向上し、使い易さが増すことになる。
【００４１】
このように、袋体２を付随させて転がる表面が柔軟で芯部分が剛体のコロガリ体１０が横配置されて、布地を介して背中もしくは腰を載置して転がされ得、横置されて、気泡緩衝材および布地によって転がることなく、両足で踏みつけられ得、いずれの端面で立脚された該コロガリ体の、他端面が布地を介して長手方向に手のひらで押圧され得、首が左右に振られることを許容するように、首の下に気泡緩衝材および布地を介して入れられ得、および体重がかけられることを許容するようにお尻とふくらはぎの間に気泡緩衝材および布地を介して入れられ得るように形成されて、少なくとも５つ、上述の例によれば７つの多使用形体の多目的健康維持に用いられるコロガリ体健康器具１００が構成されることになる。
【００４２】
これらの多使用形体によれば、袋体２で覆われ、袋体を付随させ得る剛体のコロガリ体１０が形成され、これを用いてコロガリ体健康器具１００が構成されているので、このコロガリ体健康器具１００は人間の手によるマッサージに近い押圧効果が得られ、もって腰痛，肩こり，筋肉痛などの対策、疲労回復，血行不良の改善，健康維持，スポーツ前の準備運動，およびスポーツ後のクーリング運動などに使用して効果があり、多目的健康維持に効果的である。
【００４３】
しかも本実施例によれば、円筒巻芯体１、プチプチなどの気泡緩衝材２０および布地７は廃棄され回収された材料をそれらの特性を生かしたまま使用可能となるので環境に易しく、ＣＯ２削減に寄与する健康器具が提供される。
【符号の説明】
【００４４】
１…円筒状巻芯体、２…袋体、３…袋口形状、４…ファスナー、５…ボタン、６…ボタン止め、７…布地、１０…コロガリ体、２０…気泡緩衝材、２１…凸部、２２…合成樹脂シート、２３…もう一方の合成樹脂シート、２４…気泡，１００…コロガリ体健康器具。
【図１】
0003156200.tif 000003
【図２】
0003156200.tif 000004
【図３】
0003156200.tif 000005
【図４】
0003156200.tif 000006
【図５】
0003156200.tif 000007
【図６】
0003156200.tif 000008
【図７】
0003156200.tif 000009
【図８】
0003156200.tif 000010
【図９】
0003156200.tif 000011